(57)【特許請求の範囲】
【請求項１】
歯科治療用ハンドピースの握手ケース先端に、該握手ケースに対して同軸に装着されるキャップ部材と、前記握手ケース内に該握手ケースと同軸に配設されたＬＥＤ装着部材とを有し、
前記キャップ部材は、該キャップ部材の内側先端に円環状部材を固定して有し、前記ＬＥＤ装着部材は、先端部に前記円環状部材に対向してかつ周方向に所定の間隔を置いて青色ＬＥＤを有し、前記円環状部材は、前記青色ＬＥＤに対向する蛍光体部及び透明体部を交互に所定の間隔を置いて有し、前記キャップ部材を回動した時に、前記青色ＬＥＤからの光が前記蛍光体部を通して或いは前記透明体部を通して放出するようにしたことを特徴とする歯科治療用インスツルメント。
【請求項２】
前記キャップ部材は、前記蛍光体部が前記青色ＬＥＤに対向する位置と、前記透明体部が前記青色ＬＥＤに対向する位置との２箇所で、前記握手ケースに固定されることを特徴とする請求項１に記載の歯科治療用インスツルメント。
【請求項３】
前記キャップ部材は、前記握手ケースに対して回動可能に装着され、前記蛍光体部が前記青色ＬＥＤに対向する位置と前記透明体部が前記青色ＬＥＤに対向する位置とに変更可能であることを特徴とする請求項１又は２に記載の歯科治療用インスツルメント。
【請求項４】
前記円環状部材は、蛍光体で構成され、前記透明体部が切り欠き又は孔明き窓であることを特徴とする請求項１乃至３のいずれかに記載の歯科治療用インスツルメント。
【請求項５】
前記円環状部材は、透明体で構成され、該透明体は該透明体の周方向に沿って所定の間隔を置いて蛍光体で構成されていることを特徴とする請求項１乃至３のいずれかに記載の歯科治療用インスツルメント。
【請求項６】
前記ＬＥＤ装着部材は、前面に透明板を一体的に有し、前記青色ＬＥＤを前記ＬＥＤ装着部材の先端部に液密に装着していることを特徴とする請求項１乃至４のいずれかに記載の歯科治療用インスツルメント。
【発明の詳細な説明】
【技術分野】
【０００１】
本発明は、歯科治療用インスツルメント、より詳細には、歯科治療用インスツルメントを用いて患者の口腔内を治療する際に、口腔内を白色照明或いは青色照明に変更可能とし、特に、青色照明を可能とすることによって、う蝕部位、歯石、プラーク等を際立たせ、被治療部位を明確にして処置できるようにしたものである。
【背景技術】
【０００２】
図４は、本発明が適用される超音波スケーラ（Ｓｃａｌｅｒ）の一例を説明するための要部断面構成図で、図中、１は圧電素子、２は該圧電素子１を固定するための裏打板、３は圧電素子１の振動を伝達するためのホーン、４は振動子固定部材、５は前記ホーン３の先端部にねじ結合等によって着脱自在に連結されるスケーラチップ、１０はこれら圧電素子１、裏打板２、ホーン３、振動子固定部材４等を内蔵する握手ケース（ハンドピース）である。周知のように、ホーン３にスケーラチップ５が螺合され、該スケーラチップ５がホーン３を通して伝達されてくる超音波振動によって振動されて歯石、う触部、プラーク等の除去が行われる。
【０００３】
上述のごとき超音波スケーラを含む歯科治療用インスツルメントにおいては、握手ケース１０内に設けられた光源（例えば、ハロゲンランプ）からの光をライトガイド（光ファイバ）６を通して該握手ケース（インスツルメント）の先端まで導き、歯科治療時、前記ライトガイド６の先端から光を放射して口腔内の被治療位置を照明するようにしている。
【発明の概要】
【発明が解決しようとする課題】
【０００４】
上述のごとき、ライトガイドを内蔵した歯科治療用インスツルメントにおいては、オートクレーブを繰り返すことにより、ライトガイドが劣化して照度が低下する。
【０００５】
本発明は、上記問題を解決し、同時に、下記の特徴をも有する。
（１）歯石、う触部、プラーク等は、青色光で照明されると、これらの箇所がより明確に映し出されるため、青色ＬＥＤを用いて、青色光照明することも行われているが、それ以外の時は、白色照明が行われる。本発明においては、光源として青色ＬＥＤを用いてこれらの箇所を際立たせ、白色光にて照明したい時は、青色ＬＥＤからの光を蛍光体を通して白色光に変換して照明するようにしている。
（２）前記蛍光体を組み込んだキャップ部材をインスツルメントの先端に取り付け可能とし、オートクレーブにより蛍光体が劣化しても容易に交換可能にしている。
【課題を解決するための手段】
【０００６】
上述のごとき課題を解決するために、請求項１の発明は、歯科治療用ハンドピースの握手ケース先端に、該握手ケースに対して同軸に装着されるキャップ部材と、前記握手ケース内に該握手ケースと同軸に配設されたＬＥＤ装着部材とを有し、前記キャップ部材は、該キャップ部材の内側先端に円環状部材を固定して有し、前記ＬＥＤ装着部材は、先端部に前記円環状部材に対向してかつ周方向に所定の間隔を置いて青色ＬＥＤを有し、前記円環状部材は、前記青色ＬＥＤに対向する蛍光体部及び透明体部を交互に所定の間隔を置いて有し、前記キャップ部材を回動した時に、前記青色ＬＥＤからの光が前記蛍光体部を通して或いは前記透明体部を通して放出するようにしたことを特徴としたものである。
【０００７】
請求項２の発明は、請求項１の発明において、前記キャップ部材は、前記蛍光体部が前記青色ＬＥＤに対向する位置と、前記透明体部が前記青色ＬＥＤに対向する位置との２箇所で、前記握手ケースに固定されることを特徴としたものである。
【０００８】
請求項３の発明は、請求項１又は２の発明において、前記キャップ部材は、前記握手ケースに対して回動可能に装着され、前記蛍光体部が前記青色ＬＥＤに対向する位置と前記透明体部が前記青色ＬＥＤに対向する位置とに変更可能であることを特徴としたものである。
【０００９】
請求項４の発明は、請求項１乃至３のいずれかの発明において、前記円環状部材は、蛍光体で構成され、前記透明体部が切り欠き又は孔明き窓であることを特徴としたものである。
【００１０】
請求項５の発明は、請求項１乃至３のいずれかの発明において、前記円環状部材は、透明体で構成され、該透明体は該透明体の周方向に沿って所定の間隔を置いて蛍光体で構成されていることを特徴としたものである。
【００１１】
請求項６の発明は、請求項１乃至４のいずれかの発明において、前記ＬＥＤ装着部材は、前面に透明板を一体的に有し、前記青色ＬＥＤを前記ＬＥＤ装着部材の先端部に液密に装着していることを特徴としたものである。
【発明の効果】
【００１２】
歯科治療時に口腔内を青色光で照明することにより、歯石、プラーク、う触部位を際立たせることができ、被治療部位がよくわかる。ライトガイド（光ファイバー）を用いないので、オートクレーブを繰り返すことによる劣化がおきない。蛍光体を組み込んだキャップ部材を取り付け、青色光を該蛍光体部を通して白色光に変換して白色照明ができる。蛍光体がオートクレーブにより劣化しても容易に交換ができる。
【図面の簡単な説明】
【００１３】
【図１】本発明が適用された歯科治療用インスツルメントの一実施例を説明するための要部概略構成図である。
【図２】図１に示した青色ＬＥＤと蛍光体との関係を説明するための図である。
【図３】図１に示したキャップ部材を握手ケースに回動自在に装着する一実施例を説明するための図である。
【図４】本発明が適用される従来の歯科治療用ハンドピースの一例を説明するための図である。
【発明を実施するための形態】
【００１４】
図１は、本発明による歯科治療用インスツルメントの一実施例を説明するための要部構成図で、図１は、本発明をスケーラに適用した場合の例を示す。図１においては、ホーン３よりスケーラチップ５を着脱するための雌ねじ部３ａが示されている。本発明においては、握手ケース（ハンドピース）１０の先端には、キャップ部材２０が着脱自在にかつ回動自在に装着されるようになっており、図１（Ａ）には、握手ケース１０の先端にキャップ部材２０がねじ３０によって一体的に装着された状態を、図１（Ｂ）には、握手ケース１０からキャップ部材２０を取り外した状態を示す。３０ａはねじ３０を固定するためのねじ孔、３０ｂは振動子固定部材４の円周上に設けられた溝で、ねじ３０の先端部は該溝３０ｂ内を移動可能となっている。
【００１５】
本発明においては、振動子固定部材４の先端部には、青色発光のＬＥＤ１１が所定の間隔を置いて（少なくとも３箇所）円環状に設けられている。１２は該青色ＬＥＤ１１の基板、１３は該基板１１に接続された電源線、１４はＬＥＤ１１の前面に配設された円環状の透明板で、該透明板１４によって青色ＬＥＤ１１は振動子固定部材４の先端部に液密に装着されている。なお、１５，１６は口腔内の唾液、汚水等がハンドピース内に侵入するのを防止するためのＯリングである。
【００１６】
キャップ部材２０は、図１（Ａ）に示すように、握手ケース１０の先端に前方より挿入され、ねじ３０によって該握手ケース１０（振動子固定部材４）の先端部に一体的に固定されるものであるが、該キャップ部材２０の先端部内側には、透明体部（又は空洞部）と蛍光体部が所定の間隔を置いて配設された円環状部材２１がＣリング２２によって固定されており、前述のようにして、該キャップ部材２０を握手ケース１０に装着した時に、透明体部（又は空洞部）或いは蛍光体部が青色ＬＥＤ１１に対向するようになっている。
【００１７】
図２は、前記円環状部材２１と青色ＬＥＤ１１との関係を説明するための図で、例えば、図２（Ｂ）に示すように、ＬＥＤ基板１２に、４個の青色ＬＥＤ１１が所定の間隔（９０°）を置いて配設されている場合、図２（Ａ）に示すように、円環状部材２１を透明体２１ａで構成した場合、青色ＬＥＤ１１に対向して蛍光体部２１ｂが所定の間隔（９０°）を置いて配設されている。そして、キャップ部材２０が握手ケース１０に装着された時、透明体部２１ａが青色ＬＥＤ１１に対向した位置、蛍光体部２１ｂが青色ＬＥＤ１１に対向した位置のいずれかの位置で、キャップ部材２０が振動子固定部材４にねじ３０によって固定されるようになっている。
【００１８】
図３は、キャップ部材２０を振動子固定部材４に対し、回動可能に装着するための一構成例を説明するための要部構成図で、ねじ３０は、図３（Ａ）に示すように、内部が中空部３０’に形成され、該中空部３０’内にスプリング３１、ボール３２が挿入されるようになっている。一方、振動子固定部材４の円周上には、図３（Ｂ）に示すように、溝３０ｂが設けられ、所定角度（図２に示した実施例の場合は４５°）置いて凹部３０ｂ1、３０ｂ2が設けられている。ねじ３０中空部内にスプリング３１、ボール３２を挿入し、ねじ孔３０ａと溝３０ｂを合わせた状態で、ねじ３０をねじ孔３０ａに固定すると、ボール３２がスプリング３１によって溝３０ｂの内面に押圧された状態でキャップ部材２０と振動子固定部材４が回動可能に連結され、キャップ部材２０を凹部が設けられている３０ｂ1の位置と３０ｂ2の位置に係止することができる。
【００１９】
図２において、キャップ部材２０に設けられたねじ孔３０ａが振動子固定部材４に設けられた凹部３０ｂ1に対向した位置で、該キャップ部材２０が振動子固定部材４に、ねじ３０によって固定された場合には、円環状部材２１は１１ａにて示す位置で青色ＬＥＤ１１に対向し、青色ＬＥＤ１１からの光は透明体２１ａを通して照射される。キャップ部材２０を矢印方向に４５°回動すると、キャップ部材２０に設けられたねじ３０は３０ａ’の位置に移動し、振動子固定部材４に設けられた凹部３０ｂ2に対向し、この状態では、青色ＬＥＤ１１は円環状部材２１の１１ｂにて示す部分と対向し、青色ＬＥＤ１１からの光は、蛍光体部２１ｂを通して（白色光に変換されて）照射される。
【００２０】
以上には、円環状部材２１を透明体で構成した例について説明したが、円環状部材２１を蛍光体で構成することも可能で、その場合には、図２（Ａ）において示した蛍光体部２１ｂを空洞（孔）或いは透明体で構成すればよい。
【００２１】
なお、以上には、キャップ部材２０を握手ケース１０（振動子固定部材４）に取り付け角度を変えて装着するのに、プランジャー付ねじ３０によってキャップ部材２０が握手ケース１０から脱落することのないように装着する例について説明したが、本発明は、図示例の装着手段に限定されるものではなく、その他、任意周知の装着手段によってキャップ部材２０を握手ケース１０に対して所定角度変更して装着するようにすることも可能である。また、以上には、青色ＬＥＤを４個設けた例について説明したが、３個以上ならば、無影効果もある程度得ることができ、実用上、ほとんど問題はない。
【符号の説明】
【００２２】
１…圧電素子、２…裏打板、３…ホーン、４…振動子固定部材、５…スケーラチップ、１０…握手ケース、１１…ＬＥＤ、１２…ＬＥＤ基板、１４…透明板、２０…キャップ部材、２１…円環状部材、２１ａ…透明体部、２１ｂ…蛍光体部、２２…Ｃリング。
【図１】
0005363433.tif 000002
【図２】
0005363433.tif 000003
【図３】
0005363433.tif 000004
【図４】
0005363433.tif 000005